(57)【特許請求の範囲】
【請求項１】
出力制限が課せられたデータを上位装置から受信して記憶する情報処理装置であって、
前記出力制限の解除権限を示す権限情報を保持する委譲元携帯端末から、前記権限情報の委譲先携帯端末への委譲済を示す委譲済情報を受信する第１受信部と、
受信した前記委譲済情報を記憶する装置記憶部と、
前記委譲先携帯端末から、権限情報と該委譲先携帯端末の端末識別情報とを受信する第２受信部と、
受信した前記端末識別情報と前記委譲済情報とに基づいて、受信した前記権限情報が有効であるか否かを判断する判断部と、
有効であると判断されると、前記出力制限を解除する解除部と、
前記データに基づき出力を行う出力部とを備える
ことを特徴とする情報処理装置。
【請求項２】
前記委譲済情報は、権限情報の委譲先を示す委譲先識別情報からなり、
前記判断部は、前記第１受信部により受信された前記委譲先識別情報と前記第２受信部により受信された前記端末識別情報とが一致するか否かに基づいて前記判断を行う
ことを特徴とする請求項１記載の情報処理装置。
【請求項３】
権限情報の削除指示を前記委譲先携帯端末へ送信する送信部と、前記委譲先携帯端末から前記権限情報の削除済を通知されると、前記装置記憶部から前記委譲済情報を削除する削除部とを更に備えることを特徴とする請求項１記載の情報処理装置。
【請求項４】
前記第１受信部は、無線ネットワークを介して前記委譲済情報を受信する無線通信部からなることを特徴とする請求項１記載の情報処理装置。
【請求項５】
前記無線通信部は、電子メールにより前記委譲済情報を受信することを特徴とする請求項４記載の情報処理装置。
【請求項６】
前記第２受信部は、ＩＣ（Ｉｎｔｅｇｒａｔｅｄ  Ｃｉｒｃｕｉｔ）チップを有する非接触型ＩＣカード機能付きの前記委譲先携帯端末から、無線通信により前記権限情報及び前記端末識別情報を受信するＩＣカードリーダからなることを特徴とする請求項１記載の情報処理装置。
【請求項７】
前記送信部は、ＩＣチップを有する非接触型ＩＣカード機能付きの前記委譲先携帯端末へ、無線通信により前記削除指示を送信するＩＣカードライタからなることを特徴とする請求項３記載の情報処理装置。
【請求項８】
前記情報処理装置は、前記上位装置から画像データを受信する画像形成装置からなり、前記出力部は、受信した前記画像データに基づき画像形成処理を行うことを特徴とする請求項１記載の情報処理装置。
【請求項９】
前記情報処理装置は、画像形成装置に接続するサーバからなり、前記出力部は、前記上位装置から受信した画像データを前記画像形成装置へ送出することを特徴とする請求項１記載の情報処理装置。
【請求項１０】
出力制限が課せられたデータを上位装置から受信して記憶する情報処理装置と、前記出力制限の解除権限を示す権限情報を保持する委譲元携帯端末と、該委譲元携帯端末と通信可能な委譲先携帯端末とを含む情報処理システムであって、
前記委譲元携帯端末は、
前記解除権限を委譲すべく前記権限情報を前記委譲先携帯端末へ送信する委譲元送信部を備え、
前記委譲先携帯端末は、
前記委譲元携帯端末から前記権限情報を受信する委譲先受信部と、
受信した前記権限情報を記憶する委譲先記憶部と、
前記権限情報を前記情報処理装置へ送信する委譲先送信部とを備え、
前記情報処理装置は、
前記委譲先携帯端末から前記権限情報を受信する装置受信部と、
受信した前記権限情報に基づいて、前記出力制限を解除する解除部と、
前記データに基づき出力を行う出力部とを備える情報処理システムであって、
前記委譲元送信部は、更に前記委譲先携帯端末への前記解除権限の委譲済を示す委譲済情報を前記情報処理装置へ送信し、
前記委譲先送信部は、前記権限情報の送信に伴い、更に前記委譲先携帯端末の端末識別情報を前記情報処理装置へ送信し、
前記情報処理装置は、
前記委譲元携帯端末から受信した前記委譲済情報を記憶する装置記憶部と、
前記委譲先携帯端末から受信した前記端末識別情報と、前記委譲済情報とに基づいて、前記装置受信部により受信した前記権限情報が有効であるか否かを判断する判断部と、
有効であると判断されると、前記解除部を制御して前記解除を実行させる実行制御部とを更に備える
ことを特徴とする情報処理システム。
【請求項１１】
前記情報処理装置は、
権限情報の削除指示を前記委譲先携帯端末へ送信する装置送信部を更に備え、
前記委譲先携帯端末は、
前記情報処理装置から前記削除指示を受信すると、前記委譲先記憶部から権限情報を削除する削除部を更に備える
ことを特徴とする請求項１０記載の情報処理システム。
【請求項１２】
前記権限情報は、前記委譲元携帯端末の端末識別情報を含むことを特徴とする請求項１０記載の情報処理システム。
【請求項１３】
前記委譲元携帯端末は、ＩＣチップを有する非接触型ＩＣカード機能付きの携帯端末からなり、前記端末識別情報は、前記ＩＣチップの固有識別情報からなることを特徴とする請求項１２記載の情報処理システム。
【請求項１４】
前記委譲元送信部は、無線ネットワークを介して前記権限情報を前記委譲先携帯端末へ送信することを特徴とする請求項１０記載の情報処理システム。
【請求項１５】
前記委譲元送信部は、電子メールにより前記権限情報の前記委譲先携帯端末への送信を行うことを特徴とする請求項１４記載の情報処理システム。
【請求項１６】
前記委譲先携帯端末は、ＩＣチップを有する非接触型ＩＣカード機能付きの携帯端末からなり、
前記委譲先送信部は、無線通信により前記権限情報を前記情報処理装置へ送信するＩＣカードライタからなることを特徴とする請求項１０記載の情報処理システム。
【請求項１７】
前記委譲先携帯端末は、ＩＣチップを有する非接触型ＩＣカード機能付きの携帯端末からなり、
前記装置受信部は、無線通信により前記権限情報を前記委譲先携帯端末から受信するＩＣカードリーダからなることを特徴とする請求項１０記載の情報処理システム。
【請求項１８】
前記委譲先携帯端末は、ＩＣチップを有する非接触型ＩＣカード機能付きの携帯端末からなり、
前記装置送信部は、無線通信により前記削除指示を前記委譲先携帯端末へ送信するＩＣカードライタからなることを特徴とする請求項１１記載の情報処理システム。
【請求項１９】
前記委譲済情報は、権限情報の委譲先を示す委譲先識別情報からなり、
前記判断部は、前記委譲先識別情報と前記端末識別情報とが一致するか否かに基づいて前記判断を行う
ことを特徴とする請求項１０記載の情報処理システム。
【請求項２０】
前記情報処理装置は、
権限情報の削除指示を前記委譲先携帯端末へ送信する装置送信部を更に備え、
前記委譲先携帯端末は、
前記情報処理装置から前記削除指示を受信すると、前記委譲先記憶部から権限情報を削除する削除部と、
前記権限情報の削除済を前記情報処理装置へ通知する通知部とを更に備え、
前記情報処理装置は、前記委譲先携帯端末から前記削除済を通知されると、前記装置記憶部から前記委譲済情報を削除する
ことを特徴とする請求項１０記載の情報処理システム。
【請求項２１】
前記委譲元携帯端末は、ＩＣチップを有する非接触型ＩＣカード機能付きの携帯端末からなり、前記権限情報は、前記ＩＣチップの固有識別情報からなり、前記委譲先携帯端末は、ＩＣチップを有する非接触型ＩＣカード機能付きの携帯端末からなり、前記端末識別情報は、前記ＩＣチップの固有識別情報からなることを特徴とする請求項１０記載の情報処理システム。
【請求項２２】
前記情報処理装置は、前記上位装置から画像データを受信する画像形成装置からなり、前記出力部は、受信した前記画像データに基づき画像形成処理を行うことを特徴とする請求項１０記載の情報処理装置。
【請求項２３】
前記情報処理装置は、画像形成装置に接続するサーバからなり、前記出力部は、前記上位装置から受信した画像データを前記画像形成装置へ送出することを特徴とする請求項１０記載の情報処理装置。
【発明の詳細な説明】
【技術分野】
【０００１】
本発明は、非接触型記憶媒体から認証情報を読み取ってデータの出力を行う情報処理装置及び情報処理システムに関し、特に、携帯端末から認証情報を読み取る情報処理装置及び情報処理システムに関する。
【背景技術】
【０００２】
近年、複数のユーザにより共有使用される画像形成システムが、オフィス環境等に広く普及している。画像形成システムは、プリンタやプリンタ部及びスキャナ部を備える複合機等の画像形成装置と、ネットワークを介して該画像形成装置に接続するホストコンピュータとを含んで構成され、ホストコンピュータから送信された画像データに基づいて、画像形成装置が印刷物の出力を行う。
【０００３】
このような画像形成装置は、多数のユーザに共有使用されるため、例えば機密情報を含む機密文書の印刷時に、出力された印刷物が他人の目に触れて、或いは意図的に他人に持ち去られて、機密情報が漏洩する危険性がある。
【０００４】
このような機密漏洩を回避すべく、従来、画像形成装置における印刷物の出力に先立ち、利用者が印刷権限を持つユーザ本人であるか否かを認証判断する認証印刷の技術が実用化されている。例えば、下記特許文献１に開示された技術では、ホストコンピュータは、画像データとしての印字データにパスワードを付加して、情報処理装置としてのプリントサーバーへ送信する。プリントサーバーは、パスワード付きの印字データを受信すると、該印字データをパスワードと共に記憶しておく。その後、プリントサーバーにおいて、キーボードを介してパスワードが入力されると、プリントサーバーは、入力されたパスワードと印字データに付加されたパスワードとが一致するか否かを判断する。そして、一致すると判断した場合にのみ、プリントサーバーは、パスワードを入力した利用者が印刷権限を持つユーザ本人であると判断し、印字データをプリンタへ送出して、印字処理を実行させる。
【０００５】
ところで、オフィスから遠く離れた事業所での会議に、印刷した機密文書を持参して参加する予定の参加予定者が、移動中における機密文書の紛失を回避すべく、上記した認証印刷の方法を利用することがある。この場合、該参加予定者は、オフィスのホストコンピュータから事業所に設置された画像形成装置へ、機密文書の画像データを予め送信して記憶させておく。そして、事業所に到着した後、該画像形成装置において印刷権限を行使して、機密文書の印刷を実行させる。
【特許文献１】特開平０８−０８３１５３号公報
【発明の開示】
【発明が解決しようとする課題】
【０００６】
しかしながら、上記した参加予定者がオフィスから事業所への移動中に、例えば事故や渋滞、電車遅延等に遭遇して、会議に間に合わなくなってしまう、或いは出席できなくなってしまうと、印刷権限を持たない他の会議参加者は、事業所内の画像形成装置に機密文書の画像データが記憶されているにもかかわらず、印刷を実行させることができず、機密文書を入手できないという問題があった。
【０００７】
したがって、セキュリティを保持しつつ、ユーザが持つ印刷権限を他のユーザに委譲可能な情報処理装置及び情報処理システムが望まれていた。
【課題を解決するための手段】
【０００８】
本発明は、以上の点を解決するために、次の構成を採用する。
【０００９】
〈構成１〉
本発明に係る情報処理装置は、出力制限が課せられたデータを上位装置から受信して記憶し、出力制限の解除権限を示す権限情報を保持する委譲元携帯端末から、権限情報の委譲先携帯端末への委譲済を示す委譲済情報を受信する第１受信部と、受信した委譲済情報を記憶する装置記憶部と、委譲先携帯端末から、権限情報と該委譲先携帯端末の端末識別情報とを受信する第２受信部と、受信した端末識別情報と委譲済情報とに基づいて、受信した権限情報が有効であるか否かを判断する判断部と、有効であると判断されると、出力制限を解除する解除部と、データに基づき出力を行う出力部とを備えることを特徴とする。
【００１０】
〈構成２〉
本発明に係る情報処理システムは、出力制限が課せられたデータを上位装置から受信して記憶する情報処理装置と、前記出力制限の解除権限を示す権限情報を保持する委譲元携帯端末と、該委譲元携帯端末と通信可能な委譲先携帯端末とを含む情報処理システムであって、前記委譲元携帯端末は、前記解除権限を委譲すべく前記権限情報を前記委譲先携帯端末へ送信する委譲元送信部を備え、前記委譲先携帯端末は、前記委譲元携帯端末から前記権限情報を受信する委譲先受信部と、受信した前記権限情報を記憶する委譲先記憶部と、前記権限情報を前記情報処理装置へ送信する委譲先送信部とを備え、前記情報処理装置は、前記委譲先携帯端末から前記権限情報を受信する装置受信部と、受信した前記権限情報に基づいて、前記出力制限を解除する解除部と、前記データに基づき出力を行う出力部とを備える情報処理システムであって、前記委譲元送信部は、更に前記委譲先携帯端末への前記解除権限の委譲済を示す委譲済情報を前記情報処理装置へ送信し、前記委譲先送信部は、前記権限情報の送信に伴い、更に前記委譲先携帯端末の端末識別情報を前記情報処理装置へ送信し、前記情報処理装置は、前記委譲元携帯端末から受信した前記委譲済情報を記憶する装置記憶部と、前記委譲先携帯端末から受信した前記端末識別情報と、前記委譲済情報とに基づいて、前記装置受信部により受信した前記権限情報が有効であるか否かを判断する判断部と、有効であると判断されると、前記解除部を制御して前記解除を実行させる実行制御部とを更に備えることを特徴とする。
【発明の効果】
【００１１】
本発明の情報処理システムによれば、解除権限を有する委譲元携帯端末から委譲先携帯端末へ、権限情報を送信することにより解除権限を委譲可能となるので、利便性が向上される。また、本発明の情報処理装置によれば、データの出力に先立ち、委譲先携帯端末から権限情報が受信され、該権限情報の有効性が判断されるので、機密漏洩が防止され、セキュリティが保持される。
【発明を実施するための最良の形態】
【００１２】
以下、本発明の実施形態を、図を用いて詳細に説明する。ここでは、本発明を、ホストＰＣから印刷ジョブを受信して印刷処理を行うプリンタと、該プリンタ及び２つの携帯電話機を含むプリンタシステムとに適用し、一方の携帯電話機に保持される印刷権限を他方の携帯電話機に委譲して印刷処理を行う場合を例に、説明を行う。
【実施例１】
【００１３】
図１は、本発明の実施例１に係るプリンタシステムの構成を示すブロック図である。
本実施例のプリンタシステム１０は、図１に示されるように、ホストＰＣ１１と、プリンタ１２と、委譲元携帯電話機１３と、委譲先携帯電話機１４とを含んで構成される。
このプリンタシステム１０を利用して、ユーザの印刷権限の有無を判断して印刷を行う認証印刷処理を実行できる。
【００１４】
ホストＰＣ１１は、本実施例ではパーソナルコンピュータからなり、インターネット１５を介してプリンタ１２と通信可能な上位装置として、図１に示されるように、入力部１９、アプリケーション部２０、プリンタドライバ部２１、ジョブＩＤ生成部２２、ＵＳＢインタフェース部２３、ネットワークインタフェース部２４を備えている。
【００１５】
入力部１９は、例えばキーボードからなり、プリンタ１２において印刷時認証を行う認証印刷を要求するための認証印刷要求を入力する。入力された認証印刷要求は、アプリケーション部２０に送られる。
【００１６】
アプリケーション部２０は、例えば原稿の作成や閲覧、編集等を行うための処理部であり、入力部１９からの認証印刷要求の入力を受けて、認証印刷のための原稿データを、認証印刷要求と共にプリンタドライバ部２１へ送る。
【００１７】
プリンタドライバ部２１は、印刷ジョブを生成する処理部であり、アプリケーション部２０から認証印刷要求及び原稿データを受け取ると、印刷ジョブを識別するためのジョブＩＤの生成要求と、プリンタ１２における印刷時認証のための固有ＩＤ（後述）の取得要求とを、ジョブＩＤ生成部２２へ送る。そして、ジョブＩＤ生成部２２からジョブＩＤ及び固有ＩＤを受け取ると、アプリケーション部２０から受け取った原稿データをプリンタ言語に変換して印刷データを生成し、該印刷データにジョブＩＤ及び固有ＩＤを付与して、印刷ジョブを生成する。プリンタドライバ部２１は、生成した印刷ジョブをネットワークインタフェース部２４へ送る。
【００１８】
ジョブＩＤ生成部２２は、プリンタドライバ部２１からジョブＩＤの生成要求及び固有ＩＤの取得要求を受け取ると、ＵＳＢインタフェース部２３へ固有ＩＤの取得要求を転送する。そして、ＵＳＢインタフェース部２３から固有ＩＤを受け取ると、ジョブＩＤを生成して、ジョブＩＤ及び固有ＩＤをプリンタドライバ部２１へ送ると共に、ジョブＩＤをＵＳＢインタフェース部２３へ送る。
【００１９】
ジョブＩＤ生成部２２により生成されるジョブＩＤは、印刷ジョブ毎に付与される１６バイトの識別情報である。本実施例では、他のホストＰＣと区別するために、ホストＰＣ１１のＭＡＣ（Ｍｅｄｉａ  Ａｃｃｅｓｓ  Ｃｏｎｔｒｏｌ）アドレスが、ジョブＩＤの先頭１２桁に与えられる。また、ジョブＩＤの残り４桁には、ジョブＩＤ生成部２２が発行した発行番号が与えられる。例えば、ホストＰＣ１１のＭＡＣアドレスが「００１ａ２ｂ３ｃ４ｄ５ｅ」であり、発行番号が「１２３４」であれば、ジョブＩＤ生成部２２は、ジョブＩＤ「００１ａ２ｂ３ｃ４ｄ５ｅ１２３４」を生成する。
【００２０】
ＵＳＢインタフェース部２３には、ＩＣカードリーダライタ１６がＵＳＢ接続される。
【００２１】
ＩＣカードリーダライタ１６は、近接したＩＣ（Ｉｎｔｅｇｒａｔｅｄ  Ｃｉｒｃｕｉｔ）カードを検知して、該ＩＣカードとの間で、無線通信によりデータの送受信を行う機能を有し、本実施例では、委譲元携帯電話機１３のＩＣカード部３３から固有ＩＤを受信して、ＵＳＢインタフェース部２３へ送り、ＵＳＢインタフェース部２３からジョブＩＤを受け取って、委譲元携帯電話機１３のＩＣカード部３３へ送信する。
【００２２】
ＵＳＢインタフェース部２３は、ＩＣカードリーダライタ１６から受け取った固有ＩＤを、ジョブＩＤ生成部２２へ送る。また、ジョブＩＤ生成部２２から受け取ったジョブＩＤを、ＩＣカードリーダライタ１６を介して委譲元携帯電話機１３のＩＣカード部３３へ送信する。
【００２３】
ネットワークインタフェース部２４は、プリンタドライバ部２１から受け取った印刷ジョブを、インターネット１５を介してプリンタ１２へ送信する。
【００２４】
プリンタ１２は、情報処理装置として、図１に示されるように、ネットワークインタフェース部２５、ＵＳＢインタフェース部２６、ジョブ管理部２７、プリンタ記憶部２８、判断部２９及び印刷部３０を備えている。
【００２５】
ネットワークインタフェース部２５は、インターネット１５を介してホストＰＣ１１から印刷ジョブを受信し、ジョブ管理部２７に送る。
【００２６】
ＵＳＢインタフェース部２６には、ＩＣカードリーダライタ１７がＵＳＢ接続される。
【００２７】
ＩＣカードリーダライタ１７は、ＩＣカードとの無線通信機能を有し、本実施例では、装置受信部として、委譲先携帯電話機１４のＩＣカード部４７から固有ＩＤ、ジョブＩＤ及び委譲元ＩＤを受信して、ＵＳＢインタフェース部２６へ送る。また、装置送信部として、ＵＳＢインタフェース部２６から後述する削除指示を受け取って、委譲先携帯電話機１４のＩＣカード部４７へ送信する。
【００２８】
ＵＳＢインタフェース部２６は、ＩＣカードリーダライタ１７から受け取った固有ＩＤ、ジョブＩＤ及び委譲元ＩＤを、ジョブ管理部２７へ送る。また、ＵＳＢインタフェース部２６は、ジョブ管理部２７から受け取った削除指示を、ＩＣカードリーダライタ１７を介して委譲先携帯電話機１４のＩＣカード部４７へ送信する。
【００２９】
ジョブ管理部２７は、印刷ジョブの管理機能を有し、ネットワークインタフェース部２５から受け取った印刷ジョブに対して、受付番号を発行すると共に、該印刷ジョブから固有ＩＤ、ジョブＩＤ及び印刷データを抽出する。そして、ジョブ管理部２７は、抽出した固有ＩＤを登録ＩＤとして、発行した受付番号と、登録ＩＤ、ジョブＩＤ及び印刷データとを、プリンタ記憶部２８に送って記憶させる。
【００３０】
プリンタ記憶部２８は、装置記憶部としての機能を有し、印刷データ記憶部３１及びリスト記憶部３２を有する。
【００３１】
印刷データ記憶部３１は、ジョブ管理部２７から受け取った受付番号及び印刷データを、対応させて記憶する記憶部である。
【００３２】
図２は、印刷データ記憶部の構成を示す説明図である。
印刷データ記憶部３１には、図２に示されるように、受付番号に対応して印刷データが記憶されている。
【００３３】
図２において、印刷データ記憶部３１には、例えば受付番号「０００００００１」に対応して印刷データ「印刷データ１」が記憶されている。
【００３４】
リスト記憶部３２は、ジョブ管理部２７から受け取った受付番号、登録ＩＤ及びジョブＩＤを、対応させて記憶する記憶部である。
【００３５】
図３は、実施例１におけるリスト記憶部の構成を示す説明図である。
リスト記憶部３２には、図３に示されるように、受付番号に対応して、登録ＩＤ及びジョブＩＤが記憶されている。
【００３６】
図３において、リスト記憶部３２には、例えば受付番号「０００００００１」に対応して、登録ＩＤ「０１２３４５６７８９ａｂｃｄｅｆ」及びジョブＩＤ「００１ａ２ｂ３ｃ４ｄ５ｅ１２３４」が記憶されている。
【００３７】
また、ジョブ管理部２７は、ＵＳＢインタフェース部２６から固有ＩＤ、ジョブＩＤ及び委譲元ＩＤを受け取ると、これらを記憶すると共に、ジョブＩＤ及び委譲元ＩＤを判断部２９に送る。そして、ジョブ管理部２７は、判断部２９から印刷権限有り及び受付番号を通知されると、解除部として、印刷部３０に印刷指示及び受付番号を送る。また、判断部２９から印刷権限無しを通知されると、ジョブ管理部２７は、図示されない表示部に、印刷不可を通知するメッセージを表示させる。
【００３８】
更に、ジョブ管理部２７は、印刷部３０から印刷完了及び受付番号を通知されると、委譲先携帯電話機１４に対するジョブＩＤ及び委譲元ＩＤの削除指示を生成し、ＵＳＢインタフェース部２６に送る。
【００３９】
判断部２９は、ジョブ管理部２７を介して、委譲先携帯電話機１４からジョブＩＤ及び委譲元ＩＤを受け取ると、委譲先携帯電話機１４の印刷権限の有無を判断する。即ち、判断部２９は、ジョブ管理部２７から受け取ったジョブＩＤに基づき、リスト記憶部３２を検索し、対応して記憶されている登録ＩＤを読み出す。そして、判断部２９は、読み出した登録ＩＤと、ジョブ管理部２７から受け取った委譲元ＩＤとを比較して、一致するか否かを判断する。一致すると判断すると、判断部２９は、委譲先携帯電話機１４が印刷権限を有すると判断すると共に、リスト記憶部３２から対応する受付番号を読み出して、判断結果及び受付番号をジョブ管理部２７に通知する。また、一致しないと判断すると、判断部２９は、委譲先携帯電話機１４が印刷権限を持たないと判断し、該判断結果をジョブ管理部２７に通知する。
【００４０】
印刷部３０は、出力部として、ジョブ管理部２７から印刷指示及び受付番号を受け取ると、該受付番号に対応して印刷データ記憶部３１に記憶されている印刷データを読み出して、記録媒体への印刷を行う。
【００４１】
委譲元携帯電話機１３は、ＩＣカード機能を有する携帯電話機からなり、図１に示されるように、ＩＣカード部３３、表示入力部３４、画面記憶部３５、メール生成部３６及びネットワークインタフェース部３７を備えている。
【００４２】
ＩＣカード部３３は、委譲元携帯電話機１３におけるＩＣカード機能部分であり、図１に示されるように、ＩＣカード通信部３８、委譲元記憶部３９及び削除部４０を備えている。
【００４３】
ＩＣカード通信部３８は、ＩＣカードリーダライタ１６との無線通信機能を有し、ＩＣカードリーダライタ１６から非接触により電源供給を受けて、委譲元記憶部３９から固有ＩＤを読み取り、ＩＣカードリーダライタ１６へ送信する。また、ＩＣカード通信部３８は、ＩＣカードリーダライタ１６からジョブＩＤを受信して、委譲元記憶部３９に書き込む。
【００４４】
委譲元記憶部３９は、１ブロック１６バイトのブロック単位でデータを記憶するＩＣチップからなり、図１に示されるように、固有ＩＤ記憶部４１、ジョブＩＤ記憶部４２及び委譲元ＩＤ記憶部４３からなる３ブロックを有する。
【００４５】
固有ＩＤ記憶部４１は、読み取り可且つ書き込み不可ブロックからなり、委譲元携帯電話機１３のＩＣカード部３３に付与された端末識別情報としての固有ＩＤを記憶するための記憶部である。本実施例では、固有ＩＤ記憶部４１に記憶される委譲元携帯電話機１３の固有ＩＤは、「０１２３４５６７８９ａｂｃｄｅｆ」であるものとする。
【００４６】
各携帯電話機のＩＣカード部に付与された固有ＩＤは、本実施例では、該携帯電話機の印刷権限を示す権限情報として、印刷時認証に使用される。ここで、固有ＩＤとは、ＩＣカード毎に割り当てられる１６バイトの固有識別情報であり、上記したように、書き換え及び削除不可能となっている。
【００４７】
ジョブＩＤ記憶部４２は、読み取り及び書き込み可ブロックからなり、ホストＰＣ１１に接続されたＩＣカードリーダライタ１６からＩＣカード通信部３８により受信されたジョブＩＤを記憶するための記憶部である。
【００４８】
委譲元ＩＤ記憶部４３は、読み取り及び書き込み可ブロックからなり、他の携帯電話機から印刷権限を委譲された場合に、委譲元の携帯電話機の固有ＩＤを委譲元ＩＤとして記憶するための記憶部である。本実施例では、委譲元携帯電話機１３の委譲元ＩＤ記憶部４３には、委譲元ＩＤは記憶されていない。
【００４９】
削除部４０は、委譲元記憶部３９のブロック内にデータ「００００００００００００００００００００」を書き込むことで全てのデータを削除する機能を有し、メール生成部３６から削除指示を受けて、委譲元記憶部３９のジョブＩＤ記憶部４２からジョブＩＤを削除する。
【００５０】
表示入力部３４は、例えば液晶ディスプレイ及び入力ボタンからなり、画面記憶部３５に記憶されている各画面を表示する機能や、ジョブＩＤ記憶部４２にジョブＩＤが記憶されている印刷ジョブの印刷権限を他の携帯電話機に委譲すべく権限委譲要求を入力する機能を有する。図４に、表示入力部３４に表示される委譲先設定画面の一例を示す。
【００５１】
図４は、委譲先設定画面の一例を示す説明図である。
委譲先設定画面５４は、図４に示されるように、印刷権限の委譲先として委譲先携帯電話機１４を指定すべく、該委譲先携帯電話機１４の電子メールアドレスを委譲先メールアドレスとして入力するためのアドレス入力領域５５と、委譲先携帯電話機１４にプリンタ１２の位置情報を通知すべく、プリンタ位置情報を入力するための位置入力領域５６とを有する。また、委譲先設定画面５４には、印刷権限を委譲すべく電子メールの送信を選択するための「送信」ボタン５７が表示されている。
【００５２】
この委譲先設定画面５４（図４）において、「送信」ボタン５７が選択されると、表示入力部３４は、権限委譲要求と共に、アドレス入力領域５５に入力された委譲先メールアドレス「ｂｂｂ＠ｙｙｙ．ｎｅ．ｊｐ」と、位置入力領域５６に入力されたプリンタ位置情報「Ａビル８階東側」とを入力して、メール生成部３６へ送る。
【００５３】
画面記憶部３５は、表示入力部３４に表示するための各画面の画面情報を記憶する記憶部である。
【００５４】
メール生成部３６は、表示入力部３４から権限委譲要求、委譲先メールアドレス及びプリンタ位置情報が入力されると、委譲先携帯電話機１４に印刷権限を委譲すべくメールデータを生成する機能を有する。メール生成部３６により生成されるメールデータには、委譲元携帯電話機１３の電子メールアドレス、即ち委譲元メールアドレスと、表示入力部３４から受け取ったプリンタ位置情報とを通知すべく委譲元通知画面（後述）が含まれると共に、印刷権限を委譲する印刷ジョブのジョブＩＤと、権限情報としての委譲元携帯電話機１３の固有ＩＤとが含まれる。生成されたメールデータは、入力された委譲先メールアドレスと共に、ネットワークインタフェース部３７へ送られる。なお、本実施例では、委譲元携帯電話機１３の電子メールアドレス、即ち委譲元メールアドレスは、「ａａａ＠ｘｘｘ．ｎｅ．ｊｐ」であるとする。
【００５５】
ネットワークインタフェース部３７は、委譲元送信部として、基地局１８を介して委譲先携帯電話機１４との間で電子メールによる通信を行う機能を有する。ネットワークインタフェース部３７は、メール生成部３６からメールデータ及び委譲先メールアドレスを受け取ると、委譲先メールアドレスに基づいて、該メールデータを電子メールにより送信する。
【００５６】
委譲先携帯電話機１４は、ＩＣカード機能を有する携帯電話機からなり、図１に示されるように、ネットワークインタフェース部４４、表示入力部４５、分析取得部４６及びＩＣカード部４７を備えている。
【００５７】
ネットワークインタフェース部４４は、委譲先受信部として、基地局１８を介して委譲元携帯電話機１３との間で電子メールによる通信を行う機能を有する。ネットワークインタフェース部４４は、委譲元携帯電話機１３からの電子メールを受信して、該電子メールのメールデータを表示入力部４５へ送る。なお、本実施例では、委譲先携帯電話機１４の電子メールアドレス、即ち委譲先メールアドレスは、「ｂｂｂ＠ｙｙｙ．ｎｅ．ｊｐ」であるとする。
【００５８】
表示入力部４５は、例えば液晶ディスプレイ及び入力ボタンからなり、ネットワークインタフェース部４４から受け取ったメールデータに基づいて、委譲元携帯電話機１３からの印刷権限の委譲を通知するための委譲元通知画面を表示する機能や、該メールデータからのジョブＩＤ及び委譲元ＩＤの取得要求を入力する機能を有する。入力された取得要求は、メールデータと共に分析取得部４６へ送られる。図５に、表示入力部４５に表示される委譲元通知画面の一例を示す。
【００５９】
図５は、委譲元通知画面の一例を示す説明図である。
委譲元通知画面５８は、図５に示されるように、印刷権限が委譲されたことを通知すべく、該印刷権限の委譲元の電子メールアドレス、即ち委譲元メールアドレス「ａａａ＠ｘｘｘ．ｎｅ．ｊｐ」と、プリンタ位置情報「Ａビル８階東側」とを表示する。また、委譲元通知画面５８には、「ＯＫ」ボタン５９が表示されている。
【００６０】
この委譲元通知画面５８（図５）において、「ＯＫ」ボタン５９が選択されると、表示入力部４５は、取得要求を入力して、メールデータと共に分析取得部４６へ送る。
【００６１】
分析取得部４６は、表示入力部４５から取得要求及びメールデータを受け取ると、該メールデータを分析して、ジョブＩＤを取得すると共に、委譲元携帯電話機１３の固有ＩＤを委譲元ＩＤとして取得する。取得されたジョブＩＤ及び委譲元ＩＤは、ＩＣカード部４７へ送られて、後述する委譲先記憶部４９に記憶される。
【００６２】
ＩＣカード部４７は、委譲先携帯電話機１４におけるＩＣカード機能部分であり、図１に示されるように、ＩＣカード通信部４８、委譲先記憶部４９及び削除部５０を備えている。
【００６３】
ＩＣカード通信部４８は、ＩＣカードリーダライタ１７との無線通信機能を有し、ＩＣカードリーダライタ１７から非接触により電源供給を受けて、委譲先記憶部４９から固有ＩＤ、ジョブＩＤ及び委譲元ＩＤを読み取り、ＩＣカードリーダライタ１７へ送信する。また、ＩＣカード通信部４８は、ＩＣカードリーダライタ１７から受信した削除指示を、削除部５０へ送る。更に、ＩＣカード通信部４８は、削除部５０から削除完了の通知を受けると、ＩＣカードリーダライタ１７を介してプリンタ１２へ削除完了を通知する。
【００６４】
委譲先記憶部４９は、１ブロック１６バイトのブロック単位でデータを記憶するＩＣチップからなり、図１に示されるように、固有ＩＤ記憶部５１、ジョブＩＤ記憶部５２及び委譲元ＩＤ記憶部５３を有する。
【００６５】
固有ＩＤ記憶部５１は、読み取り可且つ書き込み不可ブロックからなり、委譲先携帯電話機１４のＩＣカード部４７に付与された端末識別情報としての固有ＩＤを記憶するための記憶部である。本実施例では、固有ＩＤ記憶部５１に記憶される委譲先携帯電話機１４の固有ＩＤは、「０１２３４５６７８９０９８７６５」であるものとする。
【００６６】
ジョブＩＤ記憶部５２は、読み取り及び書き込み可ブロックからなり、分析取得部４６により取得して送られたジョブＩＤを記憶する。
【００６７】
委譲元ＩＤ記憶部５３は、読み取り及び書き込み可ブロックからなり、分析取得部４６により取得して送られた委譲元ＩＤを記憶する。
【００６８】
削除部５０は、委譲先記憶部４９のブロック内にデータ「００００００００００００００００００００」を書き込むことで記憶されているデータを削除する機能を有し、ＩＣカード通信部４８から削除指示を受けると、委譲先記憶部４９のジョブＩＤ記憶部５２からジョブＩＤを、そして委譲元ＩＤ記憶部５３から委譲元ＩＤを、それぞれ削除する。削除部５０は、削除が完了すると、削除完了をＩＣカード通信部４８に通知する。
【００６９】
次に、本実施例のプリンタシステム１０の動作について、説明する。
まず、ホストＰＣ１１において、印刷ジョブが生成され、プリンタ１２へ送信される場合の処理の流れについて、図６に示すフローチャートに沿って説明する。
図６は、ホストＰＣにおける印刷ジョブ生成送信動作を示すフローチャートである。
【００７０】
ホストＰＣ１１において、入力部１９が認証印刷要求をアプリケーション部２０に入力する（ステップＳ１０１）と、アプリケーション部２０は、該認証印刷要求と共に原稿データをプリンタドライバ部２１へ送る。
【００７１】
プリンタドライバ部２１は、アプリケーション部２０から認証印刷要求及び原稿データを受け取ると、ジョブＩＤの生成要求及び固有ＩＤの取得要求を、ジョブＩＤ生成部２２へ送る。ジョブＩＤ生成部２２は、受け取った取得要求を、ＵＳＢインタフェース部２３へ転送する。
【００７２】
ＵＳＢインタフェース部２３は、固有ＩＤの取得要求を受け取ると、ＩＣカードリーダライタ１６をスタンバイ状態とする。そして、委譲元携帯電話機１３が近接すると、ＩＣカードリーダライタ１６は、該委譲元携帯電話機１３のＩＣカード部３３を検知する（ステップＳ１０２）。
【００７３】
続いて、ＩＣカードリーダライタ１６は、検知したＩＣカード部３３のＩＣカード通信部３８との間で通信を行う。委譲元携帯電話機１３において、ＩＣカード通信部３８は、委譲元記憶部３９の固有ＩＤ記憶部４１から固有ＩＤ「０１２３４５６７８９ａｂｃｄｅｆ」を読み取って、ＩＣカードリーダライタ１６へ送信する。そして、ＩＣカードリーダライタ１６が、委譲元携帯電話機１３の固有ＩＤを受信して取得する（ステップＳ１０３）。取得された固有ＩＤは、ＵＳＢインタフェース部２３を介してジョブＩＤ生成部２２へ送られる。
【００７４】
ジョブＩＤ生成部２２は、委譲元携帯電話機１３の固有ＩＤを受け取ると、プリンタドライバ部２１から受け取った生成要求に基づいて、ジョブＩＤを生成する（ステップＳ１０４）。ジョブＩＤ生成部２２は、ホストＰＣのＭＡＣアドレスを含むジョブＩＤ「００１ａ２ｂ３ｃ４ｄ５ｅ１２３４」を生成すると、ＵＳＢインタフェース部２３を介してＩＣカードリーダライタ１６へ、該ジョブＩＤを送る。そして、ＩＣカードリーダライタ１６が、ジョブＩＤを委譲元携帯電話機１３へ送信する（ステップＳ１０４）。
【００７５】
委譲元携帯電話機１３において、ＩＣカード通信部３８がＩＣカードリーダライタ１６からジョブＩＤ「００１ａ２ｂ３ｃ４ｄ５ｅ１２３４」を受信すると、該ジョブＩＤは委譲元記憶部３９のジョブＩＤ記憶部４２に書き込んで記憶される。
【００７６】
続いて、ジョブＩＤ生成部２２は、生成したジョブＩＤと取得した固有ＩＤとを、プリンタドライバ部２１へ送る。プリンタドライバ部２１は、ジョブＩＤ及び固有ＩＤを受け取ると、原稿データをプリンタ言語に変換して印刷データを生成し、該印刷データにジョブＩＤ及び固有ＩＤを付与して、印刷ジョブを生成する（ステップＳ１０５）。生成された印刷ジョブは、ネットワークインタフェース部２４へ送られる。
【００７７】
ネットワークインタフェース部２４は、印刷ジョブを受け取ると、インターネット１５を介して、該印刷ジョブをプリンタ１２へ送信する（ステップＳ１０６）。これにより、ホストＰＣ１１における印刷ジョブ生成送信処理が終了する。
【００７８】
プリンタ１２において、ネットワークインタフェース部２５がホストＰＣ１１から印刷ジョブを受信すると、該印刷ジョブはジョブ管理部２７へ送られる。そして、ジョブ管理部２７が、該印刷ジョブに対して受付番号を発行すると共に、印刷ジョブからジョブＩＤ、固有ＩＤ及び印刷データを抽出する。そして、ジョブ管理部２７は、抽出した固有ＩＤを登録ＩＤとして、受付番号、登録ＩＤ、ジョブＩＤ及び印刷データを、プリンタ記憶部２８に送る。例えば、ジョブ管理部２７は、受付番号「０００００００１」を発行して、登録ＩＤ「０１２３４５６７８９ａｂｃｄｅｆ」、ジョブＩＤ「００１ａ２ｂ３ｃ４ｄ５ｅ１２３４」及び印刷データ「印刷データ１」と共に、プリンタ記憶部２８に送る。
【００７９】
プリンタ記憶部２８は、受付番号、登録ＩＤ、ジョブＩＤ及び印刷データを受け取ると、印刷データ記憶部３１に印刷データを受付番号に対応して記憶させ、リスト記憶部３２に登録ＩＤ及びジョブＩＤを受付番号に対応して記憶させる。印刷データ記憶部３１には、図２に示されるように、受付番号「０００００００１」に対応して印刷データ「印刷データ１」が記憶され、リスト記憶部３２には、図３に示されるように、受付番号「０００００００１」に対応して登録ＩＤ「０１２３４５６７８９ａｂｃｄｅｆ」及びジョブＩＤ「００１ａ２ｂ３ｃ４ｄ５ｅ１２３４」が記憶される。これにより、プリンタ１２における印刷ジョブ受信記憶処理が終了する。
【００８０】
上記のように、ホストＰＣ１１において、印刷ジョブのジョブＩＤが生成されると共に、委譲元携帯電話機１３の固有ＩＤが取得され、ジョブＩＤ及び固有ＩＤを含む印刷ジョブが生成してプリンタ１２へ送信される。委譲元携帯電話機１３には、印刷時認証のためのジョブＩＤが、ホストＰＣ１１から受信して記憶される。
【００８１】
次に、委譲元携帯電話機１３から委譲先携帯電話機１４へ印刷権限が委譲される場合の処理の流れについて、図７に示すフローチャートに沿って説明する。
図７は、本発明に係るプリンタシステムの実施例１における印刷権限委譲動作を示すフローチャートである。
【００８２】
委譲元携帯電話機１３において、ユーザが表示入力部３４を操作して、印刷権限を委譲すべく入力を行うと、表示入力部３４は、画面記憶部３５から画面情報を読み出して、委譲先設定画面５４（図４）を表示する（ステップＳ２０１）。
【００８３】
委譲先設定画面５４（図４）において、ユーザが表示入力部３４を操作して、印刷権限の委譲先を指定すべくアドレス入力領域５５に委譲先携帯電話機１４の電子メールアドレス「ｂｂｂ＠ｙｙｙ．ｎｅ．ｊｐ」を入力すると共に、委譲先携帯電話機１４のユーザに通知すべくプリンタ位置情報「Ａビル８階東側」を位置入力領域５６に入力する。その後、「送信」ボタン５７が選択されると、表示入力部３４は、権限委譲要求と、委譲先メールアドレス「ｂｂｂ＠ｙｙｙ．ｎｅ．ｊｐ」及びプリンタ位置情報「Ａビル８階東側」とを入力する（ステップＳ２０２）。入力された権限委譲要求、委譲先メールアドレス及びプリンタ位置情報は、メール生成部３６へ送られる。
【００８４】
メール生成部３６は、権限委譲要求、委譲先メールアドレス及びプリンタ位置情報を受け取ると、委譲先携帯電話機１４に印刷権限を委譲すべくメールデータを生成する。メール生成部３６は、委譲元記憶部３９の固有ＩＤ記憶部４１から固有ＩＤ「０１２３４５６７８９ａｂｃｄｅｆ」を、ジョブＩＤ記憶部４２からジョブＩＤ「００１ａ２ｂ３ｃ４ｄ５ｅ１２３４」を、それぞれ読み出す。そして、メール生成部３６は、読み出した固有ＩＤを委譲元ＩＤとして、委譲元ＩＤ及びジョブＩＤと、プリンタ位置情報とを含むメールデータを生成する（ステップＳ２０３）。生成されたメールデータは、委譲先メールアドレスと共にネットワークインタフェース部３７へ送られる。
【００８５】
ネットワークインタフェース部３７は、メールデータ及び委譲先メールアドレスを受け取ると、委譲先メールアドレスに基づいて、メールデータを電子メールにより送信する（ステップＳ２０４）。
【００８６】
委譲先携帯電話機１４において、ネットワークインタフェース部４４が、委譲元携帯電話機１３からの電子メールを受信すると、表示入力部４５が、委譲元メールアドレス「ａａａ＠ｘｘｘ．ｎｅ．ｊｐ」及びプリンタ位置情報「Ａビル８階東側」を含む委譲元通知画面５８（図５）を表示する（ステップＳ２０５）。
【００８７】
委譲元通知画面５８（図５）において、「ＯＫ」ボタン５９が選択されると、表示入力部４５は、ジョブＩＤ及び委譲元ＩＤの取得要求を入力して、該取得要求及びメールデータを分析取得部４６へ送る。そして、分析取得部４６が、取得要求に基づいてメールデータを分析し、ジョブＩＤ及び委譲元ＩＤを取得する（ステップＳ２０６）。ジョブＩＤ及び委譲元ＩＤは、ＩＣカード部４７の委譲先記憶部４９に送られて、ジョブＩＤ記憶部５２及び委譲元ＩＤ記憶部５３に、それぞれ記憶される（ステップＳ２０６）。
【００８８】
委譲元携帯電話機１３において、ネットワークインタフェース部３７は、電子メールを送信した（ステップＳ２０４）後、ＩＣカード部３３の削除部４０に、ジョブＩＤの削除指示を送る。削除部４０は、この削除指示を受けて、委譲元記憶部３９のジョブＩＤ記憶部４２からジョブＩＤ「００１ａ２ｂ３ｃ４ｄ５ｅ１２３４」を削除する（ステップＳ２０７）。これにより、印刷権限の委譲処理が終了する。
【００８９】
上記のように、委譲元携帯電話機１３から委譲先携帯電話機１４へ印刷権限が委譲される。
【００９０】
次に、プリンタ１２において、認証処理を行って印刷処理を行う認証印刷処理の流れについて、図８及び図９に示すフローチャートに沿って説明する。
図８は、本発明に係るプリンタシステムの実施例１における認証印刷動作を示すフローチャート（その１）であり、図９は、本発明に係るプリンタシステムの実施例１における認証印刷動作を示すフローチャート（その２）である。
【００９１】
まず、委譲元携帯電話機１３が印刷権限を委譲することなく、プリンタ１２において認証印刷を実行させる場合の処理の流れについて、図８に沿って説明する。
【００９２】
委譲元携帯電話機１３のユーザは、委譲元携帯電話機１３を所持してプリンタ１２の設置場所に出向き、プリンタ１２に接続されたＩＣカードリーダライタ１７に委譲元携帯電話機１３をかざす。
【００９３】
ＩＣカードリーダライタ１７は、委譲元携帯電話機１３のＩＣカード部３３を検知する（ステップＳ３０１）と、検知したＩＣカード部３３のＩＣカード通信部３８との間で通信を行う。
【００９４】
委譲元携帯電話機１３において、ＩＣカード部３３のＩＣカード通信部３８は、委譲元記憶部３９の各ブロックから記憶されている各データを読み取って、ＩＣカードリーダライタ１７へ送信する。ここで、委譲元記憶部３９の委譲元ＩＤ記憶部４３には委譲元ＩＤが記憶されていない（ステップＳ３０２）ので、ＩＣカード通信部３８は、固有ＩＤ記憶部４１から固有ＩＤ「０１２３４５６７８９ａｂｃｄｅｆ」を、ジョブＩＤ記憶部４２からジョブＩＤ「００１ａ２ｂ３ｃ４ｄ５ｅ１２３４」を、それぞれ読み取って、ＩＣカードリーダライタ１７へ送信する。そして、ＩＣカードリーダライタ１７が、固有ＩＤ及びジョブＩＤを受信して取得する（ステップＳ３０３）。取得された固有ＩＤ及びジョブＩＤは、ＵＳＢインタフェース部２６を介してジョブ管理部２７へ送られる。
【００９５】
ジョブ管理部２７は、ＵＳＢインタフェース部２６から固有ＩＤ及びジョブＩＤを受け取ると、委譲元携帯電話機１３の印刷権限の有無を判断すべく、該固有ＩＤ及びジョブＩＤを判断部２９へ送る。判断部２９は、受け取ったジョブＩＤ「００１ａ２ｂ３ｃ４ｄ５ｅ１２３４」に基づきリスト記憶部３２（図３）を検索し、対応して記憶されている登録ＩＤ「０１２３４５６７８９ａｂｃｄｅｆ」を読み出す（ステップＳ３０４）。そして、判断部２９は、読み出した登録ＩＤとジョブ管理部２７から受け取った固有ＩＤ「０１２３４５６７８９ａｂｃｄｅｆ」とを比較する（ステップＳ３０４）。
【００９６】
登録ＩＤと固有ＩＤとが一致する場合（ステップＳ３０５）、判断部２９は、委譲元携帯電話機１３を印刷権限有りと判断する（ステップＳ３０６）。
【００９７】
印刷権限有りと判断する（ステップＳ３０６）と、判断部２９は、登録ＩＤ「０１２３４５６７８９ａｂｃｄｅｆ」及びジョブＩＤ「００１ａ２ｂ３ｃ４ｄ５ｅ１２３４」に対応する受付番号「０００００００１」を、リスト記憶部３２（図３）から読み出して、判断結果と受付番号とをジョブ管理部２７に通知する。
【００９８】
ジョブ管理部２７は、印刷権限有りと通知されると、受付番号「０００００００１」の印刷ジョブに対する印刷制限を解除すべく、印刷部３０に印刷指示及び受付番号「０００００００１」を送る。印刷部３０は、この印刷指示を受けて、印刷データ記憶部３１（図２）から受付番号「０００００００１」に対応する印刷データ「印刷データ１」を読み出して、該印刷データに基づいて、記録媒体への印刷を行う（ステップＳ３０７）。印刷が完了すると、印刷部３０は、印刷完了と受付番号「０００００００１」とをジョブ管理部２７に通知する。
【００９９】
ジョブ管理部２７は、印刷完了及び受付番号を通知されると、該受付番号に対応してプリンタ記憶部２８に記憶されている各データを削除する。即ち、印刷データ記憶部３１（図２）から受付番号「０００００００１」及び印刷データ「印刷データ１」が削除され、リスト記憶部３２（図３）から受付番号「０００００００１」、登録ＩＤ「０１２３４５６７８９ａｂｃｄｅｆ」及びジョブＩＤ「００１ａ２ｂ３ｃ４ｄ５ｅ１２３４」が、削除される（ステップＳ３０８）。
【０１００】
続いて、ジョブ管理部２７は、委譲元携帯電話機１３に対するジョブＩＤの削除指示を生成して、該削除指示をＵＳＢインタフェース部２６に送る。そして、ＩＣカードリーダライタ１７が、委譲元携帯電話機１３へ削除指示を送信する（ステップＳ３０９）。
【０１０１】
委譲元携帯電話機１３において、ＩＣカード部３３のＩＣカード通信部３８がＩＣカードリーダライタ１７から削除指示を受信すると、ＩＣカード通信部３８は、該削除指示を削除部４０へ送る。そして、削除部４０が、委譲元記憶部３９のジョブＩＤ記憶部４２に、データ「００００００００００００００００」を上書きして、記憶されているジョブＩＤ「００１ａ２ｂ３ｃ４ｄ５ｅ１２３４」を削除する（ステップＳ３１０）。これにより、プリンタシステム１０における認証印刷処理が完了する。
【０１０２】
上記のように、携帯電話機から取得した固有ＩＤに基づいて印刷時認証が実行される。
【０１０３】
なお、ステップＳ３０５において、登録ＩＤと固有ＩＤとが一致しない場合、判断部２９は、委譲元携帯電話機１３を印刷権限無しと判断し（ステップＳ３１１）、該判断結果をジョブ管理部２７に通知する。ジョブ管理部２７は、この判断結果を受けて、図示されない表示部に印刷不可を通知するメッセージを表示させる（ステップＳ３１２）。これにより、プリンタシステム１０における認証印刷処理が完了する。
【０１０４】
次に、委譲元携帯電話機１３から印刷権限を委譲された委譲先携帯電話機１４が、プリンタ１２に認証印刷を実行させる場合の処理の流れについて、図８及び図９に沿って説明する。
【０１０５】
委譲先携帯電話機１４のユーザは、委譲先携帯電話機１４を所持してプリンタ１２の設置場所に出向き、プリンタ１２に接続されたＩＣカードリーダライタ１７に委譲先携帯電話機１４をかざす。
【０１０６】
ＩＣカードリーダライタ１７が、委譲先携帯電話機１４のＩＣカード部４７を検知する（ステップＳ３０１）と、ＩＣカードリーダライタ１７は、ＩＣカード部４７のＩＣカード通信部４８との間で通信を行う。
【０１０７】
委譲先携帯電話機１４において、委譲先記憶部４９の委譲元ＩＤ記憶部５３には委譲元ＩＤが記憶されている（ステップＳ３０２）ので、ＩＣカード通信部４８は、固有ＩＤ記憶部５１から固有ＩＤ「０１２３４５６７８９０９８７６５」を、ジョブＩＤ記憶部５２からジョブＩＤ「００１ａ２ｂ３ｃ４ｄ５ｅ１２３４」を、そして委譲元ＩＤ記憶部５３から委譲元ＩＤ「０１２３４５６７８９ａｂｃｄｅｆ」を、それぞれ読み取って、ＩＣカードリーダライタ１７へ送信する。そして、ＩＣカードリーダライタ１７が、固有ＩＤ、ジョブＩＤ及び委譲元ＩＤを受信して取得する（ステップＳ３１３）。取得された固有ＩＤ、ジョブＩＤ及び委譲元ＩＤは、ＵＳＢインタフェース部２６を介してジョブ管理部２７へ送られる。
【０１０８】
ジョブ管理部２７は、ＵＳＢインタフェース部２６から固有ＩＤ、ジョブＩＤ及び委譲元ＩＤを受け取ると、委譲先携帯電話機１４の印刷権限の有無を判断すべく、ジョブＩＤ及び委譲元ＩＤを判断部２９へ送る。判断部２９は、受け取ったジョブＩＤ「００１ａ２ｂ３ｃ４ｄ５ｅ１２３４」に基づきリスト記憶部３２（図３）を検索し、対応して記憶されている登録ＩＤ「０１２３４５６７８９ａｂｃｄｅｆ」を読み出して、該登録ＩＤとジョブ管理部２７から受け取った委譲元ＩＤ「０１２３４５６７８９ａｂｃｄｅｆ」とを比較する（ステップＳ３１４）。
【０１０９】
登録ＩＤと委譲元ＩＤとが一致する場合（ステップＳ３１５）、判断部２９は、委譲先携帯電話機１４を印刷権限有りと判断する（ステップＳ３１６）。
【０１１０】
印刷権限有りと判断する（ステップＳ３１６）と、判断部２９は、登録ＩＤ「０１２３４５６７８９ａｂｃｄｅｆ」及びジョブＩＤ「００１ａ２ｂ３ｃ４ｄ５ｅ１２３４」に対応する受付番号「０００００００１」を、リスト記憶部３２（図３）から読み出して、判断結果と受付番号とをジョブ管理部２７に通知する。
【０１１１】
ジョブ管理部２７は、印刷権限有りの通知を受けて、受付番号「０００００００１」の印刷ジョブに対する印刷制限を解除すべく、印刷部３０に印刷指示及び受付番号「０００００００１」を送る。印刷部３０は、この印刷指示及び受付番号を受けて、印刷データ記憶部３１（図２）から対応する印刷データ「印刷データ１」を読み出して、記録媒体への印刷を行う（ステップＳ３１７）。印刷が完了すると、印刷部３０は、印刷完了と受付番号「０００００００１」とをジョブ管理部２７に通知する。
【０１１２】
ジョブ管理部２７は、印刷完了及び受付番号の通知を受けて、プリンタ記憶部２８から該受付番号に対応する各データを削除する（ステップＳ３１８）。即ち、印刷データ記憶部３１（図２）から受付番号「０００００００１」及び印刷データ「印刷データ１」が削除され、リスト記憶部３２（図３）から受付番号「０００００００１」、登録ＩＤ「０１２３４５６７８９ａｂｃｄｅｆ」及びジョブＩＤ「００１ａ２ｂ３ｃ４ｄ５ｅ１２３４」が、削除される（ステップＳ３１８）。
【０１１３】
続いて、ジョブ管理部２７は、委譲先携帯電話機１４に対するジョブＩＤ及び委譲元ＩＤの削除指示を生成して、該削除指示をＵＳＢインタフェース部２６に送る。そして、ＩＣカードリーダライタ１７が、委譲先携帯電話機１４へ削除指示を送信する（ステップＳ３１９）。
【０１１４】
委譲先携帯電話機１４において、ＩＣカード部４７のＩＣカード通信部４８がＩＣカードリーダライタ１７から削除指示を受信すると、ＩＣカード通信部４８は、該削除指示を削除部５０へ送る。そして、削除部５０が、委譲先記憶部４９のジョブＩＤ記憶部５２及び委譲元ＩＤ記憶部５３に、それぞれデータ「００００００００００００００００」を上書きして、記憶されているジョブＩＤ「００１ａ２ｂ３ｃ４ｄ５ｅ１２３４」及び委譲元ＩＤ「０１２３４５６７８９ａｂｃｄｅｆ」を削除する（ステップＳ３２０）。これにより、プリンタシステム１０における認証印刷処理が完了する。
【０１１５】
上記のように、印刷権限を委譲された携帯電話機から、権限情報としての委譲元ＩＤを取得して、印刷時認証が実行される。
【０１１６】
なお、ステップＳ３１５において、登録ＩＤと委譲元ＩＤとが一致しない場合、判断部２９は、委譲先携帯電話機１４を印刷権限無しと判断し（ステップＳ３２１）、該判断結果をジョブ管理部２７に通知する。ジョブ管理部２７は、この判断結果を受けて、図示されない表示部に印刷不可を通知するメッセージを表示させる（ステップＳ３２２）。これにより、プリンタシステム１０における認証印刷処理が完了する。
【０１１７】
また、認証印刷実行後、委譲先携帯電話機１４に委譲された委譲元携帯電話機１３の印刷権限、即ち委譲元ＩＤを確実に削除すべく、削除完了を委譲先携帯電話機１４からプリンタ１２へ通知してもよい。この場合、プリンタ１２は、所定時間が経過しても削除完了が通知されない場合、委譲先携帯電話機１４を用いた認証印刷を不可とすべく、ステップＳ３１３において取得した委譲先携帯電話機１４の固有ＩＤ「０１２３４５６７８９０９８７６５」を記憶しておくことが考えられる。
【０１１８】
以上のように、本実施例では、ＩＣカード機能付きの携帯電話機の電子メール機能を利用して、他のＩＣカード機能付き携帯電話機へ、固有ＩＤと印刷ジョブのジョブＩＤとを送信することにより、送信元の携帯電話機が保持する印刷権限を送信先の携帯電話機へ委譲できる。したがって、印刷権限を保持する携帯電話機のユーザが、ホストコンピュータから遠く離れたプリンタへ印刷ジョブを送信させた後、プリンタの設置場所まで行けなくなった場合も、ホストコンピュータを利用せずとも、他のユーザへ印刷権限を委譲可能となるので、利便性が向上される。また、印刷データを他のホストコンピュータへ送信せずとも、印刷権限のみを委譲して、プリンタにおける認証印刷の実行が可能となるので、セキュリティが保持される。
【実施例２】
【０１１９】
図１０は、本発明の実施例２に係るプリンタシステムの構成を示すブロック図である。
本実施例のプリンタシステム６０は、委譲元携帯電話機６２を基地局６５及びインターネット６４を介してプリンタ６１と通信可能とする構成が、実施例１とは異なる。
なお、本実施例において、実施例１と同様な構成については同一の符号で示し、これらについての詳しい説明を省略する。
【０１２０】
プリンタシステム６０は、図１０に示されるように、ホストＰＣ１１と、プリンタ６１と、委譲元携帯電話機６２と、委譲先携帯電話機６３とを含んで構成される。
【０１２１】
プリンタ６１は、情報処理装置として、図１０に示されるように、ネットワークインタフェース部６６、ＵＳＢインタフェース部２６、ジョブ管理部６７、プリンタ記憶部６８、判断部６９及び印刷部３０を備えている。
【０１２２】
ネットワークインタフェース部６６は、インターネット６４を介してホストＰＣ１１から印刷ジョブを受信し、ジョブ管理部６７に送る。また、ネットワークインタフェース部６６は、第１受信部として、インターネット６４及び基地局６５を介して委譲元携帯電話機６２から委譲済情報としての電子メールを受信し、ジョブ管理部６７に送る。
【０１２３】
ジョブ管理部６７は、印刷ジョブの管理機能を有し、ネットワークインタフェース部６６から受け取った印刷ジョブに対して、受付番号を発行すると共に、該印刷ジョブから固有ＩＤ、ジョブＩＤ及び印刷データを抽出する。そして、ジョブ管理部６７は、抽出した固有ＩＤを登録ＩＤとして、発行した受付番号と、登録ＩＤ、ジョブＩＤ及び印刷データとを、プリンタ記憶部６８に送って記憶させる。
【０１２４】
また、ジョブ管理部６７は、ネットワークインタフェース部６６から受け取ったメールデータを分析して、委譲元ＩＤ、ジョブＩＤ及び委譲先ＩＤを取得する分析取得機能を有する。ジョブ管理部６７は、取得した委譲元ＩＤ及びジョブＩＤを判断部６９に送る。そして、判断部６９から委譲元ＩＤが登録ＩＤと一致するとの判断結果及び受付番号を通知されると、該受付番号と電子メールから取得した委譲先ＩＤとをプリンタ記憶部６８に送る。
【０１２５】
プリンタ記憶部６８は、装置記憶部として、印刷データ記憶部３１及びリスト記憶部７０を有する。
【０１２６】
リスト記憶部７０は、ジョブ管理部６７から受け取った受付番号、登録ＩＤ及びジョブＩＤを、対応させて記憶する。また、リスト記憶部７０は、更にジョブ管理部６７から受け取った受付番号及び委譲先ＩＤを、対応させて記憶する。
【０１２７】
図１１は、実施例２におけるリスト記憶部の構成を示す説明図である。
リスト記憶部７０には、図１１に示されるように、受付番号に対応して、登録ＩＤ及びジョブＩＤが記憶されている。また、リスト記憶部７０には、更に委譲先ＩＤ項目が設けられ、ジョブ管理部６７からジョブＩＤ及び委譲先ＩＤを受け取ると、受け取ったジョブＩＤに対応する委譲先ＩＤ項目に、受け取った委譲先ＩＤが記憶される。
【０１２８】
図１１において、リスト記憶部７０には、例えば受付番号「０００００００１」に対応して、登録ＩＤ「０１２３４５６７８９ａｂｃｄｅｆ」及びジョブＩＤ「００１ａ２ｂ３ｃ４ｄ５ｅ１２３４」と、更に委譲先ＩＤ「０１２３４５６７８９０９８７６５」とが記憶されている。一方、受付番号「０００００００２」に対応する登録ＩＤ「０１２３４５６７８９ａｂｃｅｄｆ」及びジョブＩＤ「００１ａ２ｂ３ｃ４ｄ５ｅ１２３５」は記憶されているが、委譲先ＩＤは記憶されていない。即ち、受付番号「０００００００１」に対応する印刷ジョブの印刷権限は、委譲元携帯電話機６２から委譲先携帯電話機６３に委譲済であるが、受付番号「０００００００２」に対応する印刷ジョブの印刷権限は、委譲されていない。
【０１２９】
判断部６９は、ジョブ管理部６７を介して、委譲先携帯電話機６３から固有ＩＤ、ジョブＩＤ及び委譲元ＩＤを受け取ると、委譲先携帯電話機６３の印刷権限の有無を判断する。即ち、判断部６９は、ジョブ管理部６７から受け取ったジョブＩＤに基づき、リスト記憶部７０を検索し、対応して記憶されている登録ＩＤ及び委譲先ＩＤを読み出す。そして、判断部６９は、読み出した登録ＩＤと受け取った委譲元ＩＤとを、また、読み出した委譲先ＩＤと受け取った固有ＩＤとを、それぞれ比較して、一致するか否かを判断する。何れも一致すると判断すると、判断部６９は、委譲先携帯電話機６３が印刷権限を有すると判断すると共に、リスト記憶部７０から対応する受付番号を読み出して、判断結果及び受付番号をジョブ管理部６７に通知する。何れかが一致しないと判断すると、判断部６９は、委譲先携帯電話機６３が印刷権限を持たないと判断し、該判断結果をジョブ管理部６７に通知する。
【０１３０】
また、判断部６９は、ジョブ管理部６７から委譲元ＩＤ及びジョブＩＤを受け取ると、受け取ったジョブＩＤに基づきリスト記憶部７０を検索し、対応して記憶されている登録ＩＤを読み出す。そして、判断部６９は、読み出した登録ＩＤと受け取った委譲元ＩＤとを比較して、一致するか否かを判断する。一致すると判断すると、判断部６９は、リスト記憶部７０から対応する受付番号を読み出して、判断結果及び受付番号をジョブ管理部６７に通知する。一致しないと判断すると、判断部６９は、該判断結果をジョブ管理部６７に通知する。
【０１３１】
委譲元携帯電話機６２は、ＩＣカード機能を有する携帯電話機からなり、図１０に示されるように、ＩＣカード部３３、表示入力部３４、画面記憶部３５、メール生成部７１、ネットワークインタフェース部７２及び分析取得部７３を備えている。
【０１３２】
メール生成部７１は、表示入力部３４から権限委譲要求、委譲先メールアドレス及びプリンタ位置情報が入力されると、委譲先携帯電話機６３に印刷権限を委譲すべくメールデータを生成する。生成されたメールデータは、入力された委譲先メールアドレスと共に、ネットワークインタフェース部７２へ送られる。なお、本実施例では、委譲元携帯電話機６２の電子メールアドレス、即ち委譲元メールアドレスは、「ａａａ＠ｘｘｘ．ｎｅ．ｊｐ」であるとする。
【０１３３】
また、メール生成部７１は、分析取得部７３から委譲先ＩＤを受け取ると、プリンタ６１に印刷権限の委譲済を通知すべくメールデータを生成する。メール生成部７１により生成されるメールデータには、委譲元携帯電話機６２の固有ＩＤが委譲元ＩＤとして、また、委譲先携帯電話機６３の固有ＩＤが委譲先ＩＤとして、それぞれ含まれると共に、印刷権限を委譲済の印刷ジョブのジョブＩＤが含まれる。生成されたメールデータは、予め記憶されているプリンタ６１の電子メールアドレス、即ちプリンタメールアドレスと共に、ネットワークインタフェース部７２へ送られる。
【０１３４】
ネットワークインタフェース部７２は、委譲元送信部として、基地局６５を介して委譲先携帯電話機６３との間で電子メールによる通信を行う機能を有する。ネットワークインタフェース部７２は、メール生成部７１からメールデータ及び委譲先メールアドレスを受け取ると、委譲先メールアドレスに基づいて、該メールデータを電子メールにより送信する。また、ネットワークインタフェース部７２は、基地局６５を介して委譲先携帯電話機６３から電子メールを受け取ると、該電子メールのメールデータを分析取得部７３へ送る。
【０１３５】
更に、ネットワークインタフェース部７２は、基地局６５及びインターネット６４を介して、プリンタ６１との間で電子メールによる通信を行う機能を有する。ネットワークインタフェース部７２は、メール生成部７１からメールデータ及びプリンタメールアドレスを受け取ると、プリンタメールアドレスに基づいて、該メールデータを電子メールにより送信する。
【０１３６】
分析取得部７３は、ネットワークインタフェース部７２からメールデータを受け取ると、該メールデータを分析して、委譲先携帯電話機６３の固有ＩＤを委譲先ＩＤとして取得する。取得された委譲先ＩＤは、メール生成部７１へ送られる。
【０１３７】
委譲先携帯電話機６３は、ＩＣカード機能を有する携帯電話機からなり、図１０に示されるように、ネットワークインタフェース部７４、表示入力部４５、分析取得部７５、メール生成部７６及びＩＣカード部４７を備えている。
【０１３８】
ネットワークインタフェース部７４は、委譲先受信部として、基地局６５を介して委譲元携帯電話機６２との間で電子メールによる通信を行う機能を有する。ネットワークインタフェース部７４は、委譲元携帯電話機６２からの電子メールを受信して、該電子メールのメールデータを表示入力部４５へ送る。なお、本実施例では、委譲先携帯電話機６３の電子メールアドレス、即ち委譲先メールアドレスは、「ｂｂｂ＠ｙｙｙ．ｎｅ．ｊｐ」であるとする。
【０１３９】
また、ネットワークインタフェース部７４は、メール生成部７６からメールデータ及び委譲元メールアドレスを受け取って、委譲元メールアドレスに基づいて、該メールデータを電子メールにより送信する。
【０１４０】
分析取得部７５は、表示入力部４５から取得要求及びメールデータを受け取って、該メールデータの分析を行い、メールデータから委譲元メールアドレス、ジョブＩＤ及び委譲元ＩＤを取得する。そして、分析取得部７５は、取得したジョブＩＤ及び委譲元ＩＤをＩＣカード部４７へ送って、委譲先記憶部４９に記憶させると共に、取得した委譲元メールアドレスとメールデータの生成要求とをメール生成部７６へ送る。
【０１４１】
メール生成部７６は、分析取得部７５から生成要求及び委譲元メールアドレスを受け取ると、ＩＣカード部４７の委譲先記憶部４９から、固有ＩＤ記憶部５１に記憶されている委譲先携帯電話機６３の固有ＩＤ「０１２３４５６７８９０９８７６５」を読み取る。そして、この固有ＩＤを委譲先ＩＤとして、該委譲先ＩＤを含むメールデータを生成する。生成されたメールデータは、受け取った委譲元メールアドレスと共に、ネットワークインタフェース部７４へ送られる。
【０１４２】
次に、本実施例のプリンタシステム６０の動作について、説明する。
ホストＰＣ１１において、印刷ジョブが生成され、プリンタ６１へ送信される場合の処理の流れは、実施例１（図６）と同様なので、説明を省略する。
ここでは、まず、委譲元携帯電話機６２から委譲先携帯電話機６３へ印刷権限が委譲される場合の処理の流れについて、図１２及び図１３に示すフローチャートに沿って説明する。
図１２は、本発明に係るプリンタシステムの実施例２における印刷権限委譲動作を示すフローチャート（その１）であり、図１３は、本発明に係るプリンタシステムの実施例２における印刷権限委譲動作を示すフローチャート（その２）である。
【０１４３】
委譲元携帯電話機６２において、表示入力部３４が委譲先設定画面５４（図４）を表示した（ステップＳ２０１）後、委譲元携帯電話機６２のユーザが、表示入力部３４を操作して、委譲先設定画面５４のアドレス入力領域５５に委譲先メールアドレス「ｂｂｂ＠ｙｙｙ．ｎｅ．ｊｐ」を入力すると共に、位置入力領域５６にプリンタ位置情報「Ａビル８階東側」を入力し、「送信」ボタン５７を選択すると、表示入力部３４は、権限委譲要求、委譲先メールアドレス及びプリンタ位置情報を入力する（ステップＳ２０２）。入力された権限委譲要求、委譲先メールアドレス及びプリンタ位置情報は、メール生成部７１へ送られる。
【０１４４】
メール生成部７１は、権限委譲要求、委譲先メールアドレス及びプリンタ位置情報を受け取ると、委譲元記憶部３９の固有ＩＤ記憶部４１から固有ＩＤ「０１２３４５７６７８９ａｂｃｄｅｆ」を、ジョブＩＤ記憶部４２からジョブＩＤ「００１ａ２ｂ３ｃ４ｄ５ｅ１２３４」を、それぞれ読み出して、読み出した固有ＩＤを委譲元ＩＤとして、委譲元ＩＤ及びジョブＩＤと、プリンタ位置情報とを含むメールデータを生成する（ステップＳ２０３）。生成されたメールデータは、委譲先メールアドレスと共にネットワークインタフェース部７２へ送られる。
【０１４５】
ネットワークインタフェ−ス部７２は、メールデータ及び委譲先メールアドレスを受け取ると、該委譲先メールアドレスに基づいて、メールデータを電子メールにより送信する（ステップＳ４０１）。
【０１４６】
委譲先携帯電話機６３において、ネットワークインタフェース部７４が委譲元携帯電話機６２からの電子メールを受信すると、表示入力部４５が委譲元メールアドレス「ａａａ＠ｘｘｘ．ｎｅ．ｊｐ」及びプリンタ位置情報「Ａビル８階東側」を含む委譲元通知画面（図５）を表示する（ステップＳ２０５）。
【０１４７】
この委譲元通知画面５８（図５）において、「ＯＫ」ボタン５９が選択されると、表示入力部４５は、取得要求を入力して、メールデータと共に分析取得部７５へ送る。そして、分析取得部７５が、取得要求に基づいてメールデータを分析し、委譲元メールアドレス、ジョブＩＤ及び委譲元ＩＤを取得する（ステップＳ４０２）。取得されたジョブＩＤ及び委譲元ＩＤは、ＩＣカード部４７の委譲先記憶部４９に送られて、ジョブＩＤ記憶部５２及び委譲元ＩＤ記憶部５３に、それぞれ記憶される（ステップＳ４０２）。また、取得された委譲元メールアドレスは、メールデータの生成要求と共に、分析取得部７５からメール生成部７６へ送られる。
【０１４８】
メール生成部７６は、生成要求及び委譲元メールアドレスを受け取ると、委譲先記憶部４９の固有ＩＤ記憶部５１から固有ＩＤ「０１２３４５６７８９０９８７６５」を読み取って、該固有ＩＤを委譲先ＩＤとして、委譲先ＩＤを含むメールデータを生成する（ステップＳ４０３）。生成されたメールデータは、委譲元メールアドレスと共にネットワークインタフェース部７４へ送られる。
【０１４９】
ネットワークインタフェース部７４は、メールデータ及び委譲元メールアドレスを受け取ると、該委譲元メールアドレスに基づいて、メールデータを電子メールにより送信する（ステップＳ４０４）。
【０１５０】
委譲元携帯電話機６２において、ネットワークインタフェース部７２が、委譲先携帯電話機６３からの電子メールを受信する（ステップＳ４０５）と、該電子メールのメールデータは分析取得部７３へ送られる。そして、分析取得部７３が、該メールデータを分析して、委譲先ＩＤを取得し、メール生成部７１へ送る（ステップＳ４０５）。
【０１５１】
メール生成部７１は、委譲先ＩＤを受け取ると、プリンタ６１に印刷権限の委譲済を通知すべく、委譲済情報としての委譲先ＩＤを含むメールデータを生成する（ステップＳ４０６）。メール生成部７１は、委譲元携帯電話機６２の固有ＩＤ「０１２３４５６７８９ａｂｃｄｅｆ」を委譲元ＩＤとして、該委譲元ＩＤと、ジョブＩＤ「００１ａ２ｂ３ｃ４ｄ５ｅ１２３４」及び委譲先ＩＤ「０１２３４５６７８９０９８７６５」とを含むメールデータを生成する（ステップＳ４０６）。生成されたメールデータは、プリンタメールアドレスと共にネットワークインタフェース部７２へ送られる。
【０１５２】
ネットワークインタフェース部７２は、メールデータ及びプリンタメールアドレスを受け取ると、プリンタメールアドレスに基づいて、メールデータを電子メールにより送信する（ステップＳ４０７）。
【０１５３】
プリンタ６１において、ネットワークインタフェース部６６が、委譲元携帯電話機６２からの電子メールを受信する（ステップＳ４０８）と、該電子メールのメールデータはジョブ管理部６７へ送られる。そして、ジョブ管理部６７が、該メールデータを分析して、委譲元ＩＤ「０１２３４５６７８９ａｂｃｄｅｆ」、ジョブＩＤ「００１ａ２ｂ３ｃ４ｄ５ｅ１２３４」及び委譲先ＩＤ「０１２３４５６７８９０９８７６５」を取得する（ステップＳ４０８）。ジョブ管理部６７は、取得した委譲元ＩＤ及びジョブＩＤを、判断部６９へ送る。
【０１５４】
判断部６９は、ジョブ管理部６７から委譲元ＩＤ及びジョブＩＤを受け取ると、該ジョブＩＤ「００１ａ２ｂ３ｃ４ｄ５ｅ１２３４」に基づきリスト記憶部７０（図１１）を検索し、対応して記憶されている登録ＩＤ「０１２３４５６７８９ａｂｃｄｅｆ」を読み出して、該登録ＩＤと委譲元ＩＤ「０１２３４５６７８９ａｂｃｄｅｆ」とを比較する（ステップＳ４０９）。
【０１５５】
判断部６９は、この比較結果に基づいて、登録ＩＤと委譲元ＩＤとが一致するか否かを判断する（ステップＳ４１０）。一致すると判断する（ステップＳ４１０）と、判断部６９は、登録ＩＤ「０１２３４５６７８９ａｂｃｄｅｆ」及びジョブＩＤ「００１ａ２ｂ３ｃ４ｄ５ｅ１２３４」に対応する受付番号「０００００００１」を、リスト記憶部７０（図１１）から読み出して、判断結果及び受付番号をジョブ管理部６７に通知する。
【０１５６】
一致すると通知されると、ジョブ管理部６７は、受付番号「０００００００１」及び委譲先ＩＤ「０１２３４５６７８９０９８７６５」をプリンタ記憶部６８に送る。そして、リスト記憶部７０（図１１）において、受付番号「０００００００１」に対応する委譲先ＩＤ項目に、委譲先ＩＤ「０１２３４５６７８９０９８７６５」が記憶される（ステップＳ４１１）。
【０１５７】
続いて、ジョブ管理部６７は、ネットワークインタフェース部６６を介して、委譲先ＩＤの登録済を委譲元携帯電話機６２に通知する（ステップＳ４１２）。
【０１５８】
委譲元携帯電話機６２において、ネットワークインタフェース部７２は、プリンタ６１から委譲先ＩＤの登録済の通知を受けると、ＩＣカード部３３の削除部４０にジョブＩＤの削除指示を送る。そして、削除部４０が、委譲元記憶部３９のジョブＩＤ記憶部４２からジョブＩＤ「００１ａ２ｂ３ｃ４ｄ５ｅ１２３４」を削除する（ステップＳ２０７）。これにより、プリンタシステム６０における印刷権限の委譲処理が完了する。
【０１５９】
上記のように、委譲元携帯電話機６２から委譲先携帯電話機６３へ印刷権限が委譲された後、プリンタ６１へ委譲済が通知される。
【０１６０】
なお、ステップＳ４１０において、登録ＩＤと委譲元ＩＤとが一致しないと判断した場合、判断部６９は、該判断結果をジョブ管理部６７に通知する。ジョブ管理部６７は、この判断結果を受けると、ネットワークインタフェース部６６を介して、印刷権限の委譲不可を委譲元携帯電話機６２に通知する（ステップＳ４１３）これにより、プリンタシステム６０における印刷権限の委譲処理が終了する。
【０１６１】
次に、プリンタ６１において、認証処理を行って印刷処理を行う認証印刷処理の流れについて、図１４及び図１５に示すフローチャートに沿って説明する。
図１４は、本発明に係るプリンタシステムの実施例２における認証印刷動作を示すフローチャート（その１）であり、図１５は、本発明に係るプリンタシステムの実施例２における認証印刷動作を示すフローチャート（その２）である。
【０１６２】
委譲元携帯電話機６２が印刷権限を委譲することなく認証印刷を実行させる場合の処理の流れは、実施例１と同様なので説明を省略する。
ここでは、委譲元携帯電話機６２から印刷権限を委譲された委譲先携帯電話機６３が、プリンタ６１に認証印刷を実行させる場合の処理の流れについて、図１４及び図１５に沿って説明する。
【０１６３】
委譲先携帯電話機６３のユーザが、委譲先携帯電話機６３を所持してプリンタ６１の設置場所に出向き、プリンタ６１に接続されたＩＣカードリーダライタ１７に委譲先携帯電話機６３をかざすと、ＩＣカードリーダライタ１７が、委譲先携帯電話機６３のＩＣカード部４７を検知し（ステップＳ３０１）、ＩＣカード通信部４８との間で通信を開始する。
【０１６４】
委譲先携帯電話機６３において、委譲先記憶部４９の委譲元ＩＤ記憶部５３には、委譲元ＩＤが記憶されている（ステップＳ３０２）ので、ＩＣカード通信部４８は、固有ＩＤ記憶部５１から固有ＩＤ「０１２３４５６７８９０９８７６５」を、ジョブＩＤ記憶部５２からジョブＩＤ「００１ａ２ｂ３ｃ４ｄ５ｅ１２３４」を、そして委譲元ＩＤ記憶部５３から委譲元ＩＤ「０１２３４５６７８９ａｂｃｄｅｆ」を、それぞれ読み取って、ＩＣカードリーダライタ１７へ送信する。そして、ＩＣカードリーダライタ１７が、固有ＩＤ、ジョブＩＤ及び委譲元ＩＤを受信して取得する（ステップＳ３１３）。取得された固有ＩＤ、ジョブＩＤ及び委譲元ＩＤは、ＵＳＢインタフェース部２６を介してジョブ管理部６７へ送られる。
【０１６５】
ジョブ管理部６７は、ＵＳＢインタフェース部２６から固有ＩＤ、ジョブＩＤ及び委譲元ＩＤを受け取ると、委譲先携帯電話機６３の印刷権限の有無を判断すべく、固有ＩＤ、ジョブＩＤ及び委譲元ＩＤを判断部６９へ送る。
【０１６６】
判断部６９は、受け取ったジョブＩＤ「００１ａ２ｂ３ｃ４ｄ５ｅ１２３４」に基づきリスト記憶部７０（図１１）を検索し、まず、対応して記憶されている登録ＩＤ「０１２３４５６７８９ａｂｃｄｅｆ」を読み出して、該登録ＩＤとジョブ管理部６７から受け取った委譲元ＩＤ「０１２３４５６７８９ａｂｃｄｅｆ」とを比較する（ステップＳ３１４）。
【０１６７】
登録ＩＤと委譲元ＩＤとが一致する場合（ステップＳ３１５）、判断部６９は、次に、ジョブＩＤ「００１ａ２ｂ３ｃ４ｄ５ｅ１２３４」に対応する委譲先ＩＤ「０１２３４５６７８９０９８７６５」をリスト記憶部７０（図１１）から読み出して、該委譲先ＩＤとジョブ管理部６７から受け取った固有ＩＤ「０１２３４５６７８９０９８７６５」とを比較する（ステップＳ５０１）。
【０１６８】
委譲先ＩＤと固有ＩＤとが一致する場合（ステップＳ５０２）、判断部６９は、委譲先携帯電話機６３を印刷権限有りと判断する（ステップＳ５０３）。
【０１６９】
そして、判断部６９は、ジョブＩＤ「００１ａ２ｂ３ｃ４ｄ５ｅ１２３４」に対応する受付番号「０００００００１」を、リスト記憶部７０（図１１）から読み出して、判断結果と受付番号とをジョブ管理部６７に通知する。
【０１７０】
ジョブ管理部６７は、印刷権限有りの通知を受けて、受付番号「０００００００１」の印刷ジョブに対する印刷制限を解除すべく、印刷部３０に印刷指示及び受付番号「０００００００１」を送る。印刷部３０は、この印刷指示及び受付番号を受けて、印刷データ記憶部３１（図２）から対応する印刷データ「印刷データ１」を読み出して、記録媒体への印刷を行う（ステップＳ３１７）。印刷が完了すると、印刷部３０は、印刷完了と受付番号「０００００００１」とをジョブ管理部６７に通知する。
【０１７１】
ジョブ管理部６７は、印刷完了及び受付番号の通知を受けて、プリンタ記憶部６８から該受付番号に対応する各データを削除する（ステップＳ５０４）。即ち、印刷データ記憶部３１（図２）から受付番号「０００００００１」及び印刷データ「印刷データ１」が削除され、リスト記憶部７０（図１１）から受付番号「０００００００１」、登録ＩＤ「０１２３４５６７８９ａｂｃｄｅｆ」、ジョブＩＤ「００１ａ２ｂ３ｃ４ｄ５ｅ１２３４」及び委譲先ＩＤ「０１２３４５６７８９０９８７６５」が、削除される（ステップＳ５０４）。
【０１７２】
続いて、ジョブ管理部６７は、委譲先携帯電話機６３に対するジョブＩＤ及び委譲元ＩＤの削除指示を生成して、該削除指示をＵＳＢインタフェース部２６に送る。そして、ＩＣカードリーダライタ１７が、委譲先携帯電話機６３へ削除指示を送信する（ステップＳ３１９）。
【０１７３】
委譲先携帯電話機６３において、ＩＣカード部４７のＩＣカード通信部４８がＩＣカードリーダライタ１７から削除指示を受信すると、ＩＣカード通信部４８は、該削除指示を削除部５０へ送る。そして、削除部５０が、委譲先記憶部４９のジョブＩＤ記憶部５２及び委譲元ＩＤ記憶部５３に、それぞれデータ「００００００００００００００００」を上書きして、記憶されているジョブＩＤ「００１ａ２ｂ３ｃ４ｄ５ｅ１２３４」及び委譲元ＩＤ「０１２３４５６７８９ａｂｃｄｅｆ」を削除する（ステップＳ３２０）。これにより、プリンタシステム６０における認証印刷処理が完了する。
【０１７４】
上記のように、プリンタにおいて、印刷権限を委譲された携帯電話機から固有ＩＤが取得され、委譲済情報として記憶されている委譲先ＩＤと該固有ＩＤとに基づいて、印刷時認証が実行される。
【０１７５】
なお、ステップＳ３１５において、登録ＩＤと委譲元ＩＤとが一致しない場合、或いはステップＳ５０２において、委譲先ＩＤと固有ＩＤとが一致しない場合、判断部６９は、委譲先携帯電話機６３を印刷権限無しと判断し（ステップＳ５０５）、該判断結果をジョブ管理部６７に通知する。ジョブ管理部６７は、この判断結果を受けて、図示されない表示部に印刷不可を通知するメッセージを表示させる（ステップＳ３２２）。これにより、プリンタシステム６０における認証印刷処理が完了する。
【０１７６】
以上のように、本実施例では、印刷権限の委譲時に、委譲元携帯電話機からプリンタへ、印刷権限の委譲済が通知されて、委譲先電話機の固有ＩＤが委譲済情報としてプリンタに記憶される。したがって、プリンタは、ジョブＩＤ及び委譲元ＩＤを偽造した他の携帯電話機による認証印刷の実行を防止可能となるので、セキュリティの強化が実現される。
【０１７７】
なお、本実施例では、印刷権限の委譲時に、委譲先携帯電話機６３の委譲先記憶部４９に、委譲元携帯電話機６２の固有ＩＤが委譲元ＩＤとして、ジョブＩＤと共に記憶されるが、委譲元ＩＤを記憶せず、ジョブＩＤのみを記憶する構成をとることも可能である。その場合、プリンタ６１に接続されるＩＣカードリーダライタ１７は、検知したＩＣカード部４７から、固有ＩＤ及びジョブＩＤを読み出して、プリンタ６１に送る。そして、プリンタ６１は、リスト記憶部７０における委譲先ＩＤの記憶の有無に基づいて、印刷権限が委譲済であるか否かを判断したうえで、委譲済である場合、リスト記憶部７０から委譲先ＩＤを読み出して、該委譲先ＩＤとＩＣカードリーダライタ１７から受け取った固有ＩＤとを比較することにより、印刷権限の有無を判断する。これにより、認証印刷の実行後、委譲先携帯電話機６３から委譲元携帯電話機６２の固有ＩＤが削除されず、悪用されてしまうのを防止可能となる。
【産業上の利用可能性】
【０１７８】
上記実施例では、本発明の情報処理装置をプリンタに適用した場合について説明したが、本発明の情報処理装置はこの例に限定されるものではない。例えば、ファクシミリや複写機、カラープリンタ等の画像形成装置全般に適用可能であると共に、画像形成装置と通信可能であり、認証処理の結果に基づいて該画像形成装置へデータを出力するサーバにも適用可能である。
【図面の簡単な説明】
【０１７９】
【図１】本発明の実施例１に係るプリンタシステムの構成を示すブロック図である。
【図２】印刷データ記憶部の構成を示す説明図である。
【図３】実施例１におけるリスト記憶部の構成を示す説明図である。
【図４】委譲先設定画面の一例を示す説明図である。
【図５】委譲元通知画面の一例を示す説明図である。
【図６】ホストＰＣにおける印刷ジョブ生成送信動作を示すフローチャートである。
【図７】本発明に係るプリンタシステムの実施例１における印刷権限委譲動作を示すフローチャートである。
【図８】本発明に係るプリンタシステムの実施例１における認証印刷動作を示すフローチャート（その１）である。
【図９】本発明に係るプリンタシステムの実施例１における認証印刷動作を示すフローチャート（その２）である。
【図１０】本発明の実施例２に係るプリンタシステムの構成を示すブロック図である。
【図１１】実施例２におけるリスト記憶部の構成を示す説明図である。
【図１２】本発明に係るプリンタシステムの実施例２における印刷権限委譲動作を示すフローチャート（その１）である。
【図１３】本発明に係るプリンタシステムの実施例２における印刷権限委譲動作を示すフローチャート（その２）である。
【図１４】本発明に係るプリンタシステムの実施例２における認証印刷動作を示すフローチャート（その１）である。
【図１５】本発明に係るプリンタシステムの実施例２における認証印刷動作を示すフローチャート（その２）である。
【符号の説明】
【０１８０】
１０  プリンタシステム
１１  ホストＰＣ
１２  プリンタ
１３  委譲元携帯電話機
１４  委譲先携帯電話機
１６、１７  ＩＣカードリーダライタ
２７  ジョブ管理部
２８  プリンタ記憶部
２９  判断部
３３  ＩＣカード部
３６  メール生成部
３９  委譲元記憶部
４６  分析取得部
４７  ＩＣカード部
４９  委譲先記憶部
【図１】
0004420467.tif 000002
【図２】
0004420467.tif 000003
【図３】
0004420467.tif 000004
【図４】
0004420467.tif 000005
【図５】
0004420467.tif 000006
【図６】
0004420467.tif 000007
【図７】
0004420467.tif 000008
【図８】
0004420467.tif 000009
【図９】
0004420467.tif 000010
【図１０】
0004420467.tif 000011
【図１１】
0004420467.tif 000012
【図１２】
0004420467.tif 000013
【図１３】
0004420467.tif 000014
【図１４】
0004420467.tif 000015
【図１５】
0004420467.tif 000016